(57)【要約】【課題】所望の照射方向に、複数のＬＥＤから発光される光を集光させて照射することのできる薄型の照明器具を提供する。【解決手段】光を出射させる開口部８が形成された器具本体２と、前記開口部８内に配置され、複数のＬＥＤ１８・１８・１８を搭載する基板１４と、前記開口部８の全面を覆うパネル１６と、前記パネル１６を保持して器具本体２に固定するパネルホルダ１５とを備えた照明器具１であって、前記パネル１６全域に、前記夫々のＬＥＤ１８・１８・１８の発光中心Ｌ２に対して、夫々の集光中心Ｌ１をずらして配置したフレネルレンズ１３を形成した。【選択図】図５
2010205501.tif 000002
【特許請求の範囲】
【請求項１】
光を出射させる開口部が形成された器具本体と、
前記開口部内に配置され、複数のＬＥＤを搭載する基板と、
前記開口部の全面を覆うパネルと、
前記パネルを保持して器具本体に固定するパネルホルダとを備えた照明器具であって、
前記パネル全域に、前記夫々のＬＥＤの発光中心に対して、夫々の集光中心をずらして配置したフレネルレンズを形成したことを特徴とする照明器具。
【請求項２】
前記パネルホルダが、放物面に形成された反射面を備えることを特徴とする請求項１に記載の照明器具。
【発明の詳細な説明】
【技術分野】
【０００１】
本発明は、照明器具に関する。
【背景技術】
【０００２】
従来、天井等の取付壁部に対して、埋め込み、直付け、吊り下げで取付け使用される照明器具が知られている。また、この種の照明器具として、光源として複数のＬＥＤを用い、レンズとしてフレネルレンズを用いたものが知られている（例えば、特許文献１参照）。フレネルレンズとは、通常、凸レンズ、または凹レンズを同心円状に切るとともに、角部分の厚みを減らして、非球面体に形成されたレンズであり、断面形状は略鋸歯状に形成されるものである。このような構成の照明器具において、夫々のＬＥＤから発光される光は、夫々のＬＥＤに対向するように設けられたレンズに集光されて照射される。
【先行技術文献】
【特許文献】
【０００３】
【特許文献１】特開２００８−２１５６１号公報
【発明の概要】
【発明が解決しようとする課題】
【０００４】
このような照明器具の光の照射方向を、直行方向以外の方向に変更するためには、ＬＥＤとレンズとを備えた光源部の角度調整を行う必要がある。しかし、埋め込みで取付け使用される照明器具の場合、光源部の角度を変更するために、照明器具自体の取付壁部に対する角度を変更すると、取付壁面に対して、照明器具が突出することとなり、見栄えが悪くなる。また、例えば、照明器具内に、光源部の角度を調整する機構を設けた場合、照明器具の厚みが増し、棚の下等のスペースが限られた場所に埋め込んで、照明器具を設置することが難しくなる。
【０００５】
本発明は、前記課題を解消するためになされたものであり、所望の方向に光を集光させて照射させることのでき、しかも狭い場所にも埋め込んで使用することが出来る薄型の照明器具を提供することを目的とする。
【課題を解決するための手段】
【０００６】
本発明の解決しようとする課題は以上の如くであり、次にこの課題を解決するための手段を説明する。
【０００７】
即ち、請求項１においては、光を出射させる開口部が形成された器具本体と、前記開口部内に配置され、複数のＬＥＤを搭載する基板と、前記開口部の全面を覆うパネルと、前記パネルを保持して器具本体に固定するパネルホルダとを備えた照明器具であって、前記パネル全域に、前記夫々のＬＥＤの発光中心に対して、夫々の集光中心をずらして配置したフレネルレンズを形成したものである。
【０００８】
請求項２においては、前記パネルホルダが、放物面に形成された反射面を備えるものである。
【発明の効果】
【０００９】
本発明の効果として、以下に示すような効果を奏する。
【００１０】
請求項１においては、ＬＥＤから開口部全域に出射される光を遮ることなく、一枚のパネルにより、直行方向以外の方向に集光させることが出来る。よって、照明器具内に光源部の角度を調整するための機構を設ける必要が無く、薄く形成されたパネル部分だけで配光を制御することが出来る薄型の照明器具を構成することが出来る。従って、例えば、棚の下等、スペースが限られた場所にも、照明器具を埋め込んで設置することが出来る。
【００１１】
請求項２においては、反射面が形成されたパネルホルダにより、ＬＥＤの前方以外の方向に出射された光を前方に反射させて、有効に利用することができ、効率よく照射することが出来る。
【図面の簡単な説明】
【００１２】
【図１】本発明の一実施例に係る照明器具を下方から見た組立図。
【図２】同じく上方から見た組立図。
【図３】照明器具の下方斜視図。
【図４】同じく上方斜視図。
【図５】同じく底面図。
【図６】フレネルレンズの傾斜面群を模式的に表した照明器具の底面図。
【図７】図５におけるＡ−Ａ’線断面図。
【図８】同じくＢ−Ｂ’線断面図。
【図９】ＬＥＤの発光中心とフレネルレンズの集光中心とをずらして配置した場合の照射方向を示す模式図。
【図１０】ＬＥＤの発光中心とフレネルレンズの集光中心とを一致させて配置した場合の照射方向を示す模式図。
【発明を実施するための形態】
【００１３】
次に、発明の実施の形態を説明する。
図１は本発明の一実施例に係る照明器具を下方から見た組立図、図２は同じく上方から見た組立図、図３は照明器具の下方斜視図、図４は同じく上方斜視図、図５は同じく底面図、図６はフレネルレンズの傾斜面群を模式的に表した照明器具の底面図、図７は図５におけるＡ−Ａ’線断面図、図８は同じくＢ−Ｂ’線断面図、図９はＬＥＤの発光中心とフレネルレンズの集光中心とをずらして配置した場合の照射方向を示す模式図、図１０はＬＥＤの発光中心とフレネルレンズの集光中心とを一致させて配置した場合の照射方向を示す模式図である。
【実施例１】
【００１４】
本発明の実施例に係る照明器具１について、図１から図８を用いて説明する。本実施例の照明器具１は、取付壁部としての天井に形成された丸型の取付穴に埋め込まれて設置されるものである。以下の説明では、上下方向は、天井に設置された状態における上下方向として説明する。照明器具１は、図１、２に示すように、器具本体２、光源部３、取付バネ４を有している。
【００１５】
図７、図８に示すように、器具本体２は、略円筒状の側壁部５を有しており、側壁部５の上部には、天板部６が形成されている。図４に示すように、側壁部５及び天板部６の外周囲には、平面視において略放射状をなすように、上下方向に複数の放熱フィン７・７・・７が形成されている。図１に示すように、側壁部５の下部には、光源からの光を出射させる開口部８が形成されており、側壁部５下部の開口部８の外周縁部にフランジ部９が形成されている。フランジ部９は、照明器具１を天井の取付穴に設置した状態で天井に接触する部分である。図２、図７に示すように、天板部６には、基板１４に接続される電線２０を、基部本体２上方側に導く孔３１が形成されており、孔３１の上方には、天板部６上から側壁部５側に導かれる電線２０を覆う蓋３２が設けられている。天板部６上には、該蓋３２を固定するボルト３３が挿入されるボス３４が立設されている。
【００１６】
図１、図２に示すように、取付バネ４は、天井に照明器具１を固定する固定手段であり、フランジ部９の直径方向に対向するように配設されている。取付バネ４は、ステンレス素材等で形成された棒状の金属部材を屈曲させて形成されており、平面視においてコの字状に形成された腕部１０が、螺旋状に形成された中央部１１に接続されて、側面視略への字状に形成されている。取付バネ４の螺旋状の中央部１１は、器具本体２の上部中央に形成された軸部１２に支持されている。尚、取付バネ４の形状、取付位置、本数等については、本実施例のものに限定されない。
【００１７】
図１、図２、図７、図８に示すように、光源部３は、器具本体２の開口部８内部に設けられており、基板１４、パネルホルダ１５、パネル１６を有している。
基板１４は、パネルホルダ１５の光源用孔部１７・１７・１７に対応するように、光源としてのＬＥＤ１８・１８・１８を同一円周上の３箇所に等間隔に備えており、基板１４中央には、パネルホルダ１５のダボ２５が嵌合するダボ孔１９が形成されている。また、パネルホルダ１５上部に立設されるボス２９・２９との干渉を避けるため、直径方向に対向する位置にＵ字状の切欠３０・３０が形成されている。また、基板１４は、電線２０によって点灯装置（図示せず）と電気的に接続されている。
【００１８】
パネルホルダ１５は、パネル１６と基板１４とを所定間隔で離間しつつ、パネル１６を器具本体２に支持する部材である。パネルホルダ１５は、器具本体２の天板部に配設されたにボス３５・３５に挿入されるボルト２１・２１によって、器具本体２に固定されている。パネルホルダ１５は、中央部２２が平面状に形成され、周縁部２３が放物面に形成されて、略椀状に形成されており、内周面は、ＬＥＤ１８から発光される光を反射する反射面となっている。平面状に形成された中央部２２には、夫々のＬＥＤ１８・１８・１８が入れられる光源用孔部１７・１７・１７が形成されており、放物面にされた周縁部２３には、図７、図８に示すように、パネル１６の周縁部を保持する断面視Ｌ字状のパネル支持部２４が形成されている。本実施例においては、パネルホルダ１５全体を椀形状に形成したものを説明したが、パネルホルダ１５の形状はこれに限定されず、例えば、夫々のＬＥＤ１８・１８・１８に対応する椀形状が形成されるものであっても良い。
【００１９】
パネルホルダ１５上部において、直径方向に対向するように、器具本体２と固定するボルト２１・２１が挿入されるボス２９・２９が立設されている。
パネルホルダ１５の中央にはダボ２５が形成されており、基板１４とパネルホルダ１５とは、基板１４のＬＥＤ１８・１８・１８をパネルホルダ１５の光源用孔部１７・１７・１７に挿入するとともに、パネルホルダ１５のダボ２５を基板１４のダボ孔１９に挿入し、ダボ２５を溶着することで固定される。また、パネルホルダ１５のパネル支持部２４には、図１、図２、図７に示すように、パネル１６の円周上に等間隔に複数箇所形成された爪部２６・・が引っ掛かる掛止部２７・・が形成されており、パネルホルダ１５とパネル１６とは、爪部２６・・が掛止部２７・・に掛止されることで固定される。
【００２０】
パネルホルダ１５は、より反射を高めるために、アルミ蒸着又は銀蒸着によるコーティングがされている。パネルホルダ１５は、ＬＥＤ１８から発光された光のうち、側方に向かう光を反射面で反射させ、前方に向かうように配光制御する。よって、パネルホルダ１５により、ＬＥＤ１８から発光される光が、効率よく集光される。
【００２１】
パネル１６は、ＬＥＤ１８からの光を透過させて、照射面を形成する部材であって、図３、図５、図６に示すように、器具本体２の開口部８全面を覆っている。パネル１６は、透光性を有する樹脂素材等で円形の板状に形成されており、パネル１６の全域にフレネルレンズ１３が形成されている。フレネルレンズ１３は、図１０に示すように、ＬＥＤ１８から発光された光を屈折させて透過する無数の細かい傾斜面群２８を、集光中心Ｌ１を中心として同心円状に形成したものである。図１０に示すように、フレネルレンズ１３の集光中心Ｌ１をＬＥＤ１８の発光面の発光中心Ｌ上２に配置した場合には、ＬＥＤ１８から発光されて、フレネルレンズ１３に入射した光は、フレネルレンズ１３を透過し、フレネルレンズ１３前方に直行する平行光として射出される。
【００２２】
本発明の照明器具１は、フレネルレンズ１３の集光中心Ｌ１が、図５、図６、図９に示すように、ＬＥＤ１８の発光面の発光中心Ｌ２に対してずらした位置に配置されている。そして、フレネルレンズ１３は、パネル１６上において、夫々のＬＥＤ１８・１８・１８の集光中心Ｌ１を中心として、同心円状に傾斜面群２８が形成されて構成されている。図５、図６に示すように、夫々の集光中心Ｌ１・Ｌ１・Ｌ１は、夫々の発光中心Ｌ２・Ｌ２・Ｌ２に対して、一つの発光中心Ｌ２から、二つの発光中心Ｌ２・Ｌ２に向かう方向に、夫々同じ間隔ずらして配置されている。そして、夫々の集光中心Ｌ１・Ｌ１・Ｌ１によって形成される三角形の重心を中心として、中心角を均等に分割した扇状の領域に、夫々同心円状の傾斜面群２８が形成されており、傾斜面群２８は、パネル１６上の全域に形成されている。
【００２３】
なお、集光中心Ｌ１を発光中心Ｌ２に対してずらす方向や間隔は、上記構成に限定されるものではなく、例えば、二つの発光中心Ｌ２・Ｌ２から、一つの発光中心Ｌ２に向かう方向に、集光中心Ｌ１をずらして配置する構成としても良い。また、本実施例においては、傾斜面群２８が形成される領域の分割の中心は、夫々の集光中心Ｌ１・Ｌ１・Ｌ１によって形成される三角形の重心として、集光中心Ｌ１から同心円状に形成される傾斜面群２８のうち、夫々の集光中心Ｌ１近傍の傾斜面群２８の領域が確保される構成としたが、傾斜面群２８の領域を分割は、上記構成に限定されるものではなく、パネル１６の中心を分割の中心としても良い。
【００２４】
ＬＥＤ１８から発光される光は、発光中心Ｌ２がフレネルレンズ１３の集光中心Ｌ１とずれた状態でフレネルレンズ１３に入射すると、直下でない方向に集光されて射出される。具体的には、図９に示すように、フレネルレンズ１３に入射した光は、発光中心Ｌ２から集光中心Ｌ１に向かう方向に集光されて平行光として射出される。このように、フレネルレンズ１３の集光中心Ｌ１を、ＬＥＤ１８の発光中心Ｌ２とずらして配置するだけで、光の射出方向が調整される。
【００２５】
このようにして、開口部８全面を覆う一枚のパネル１６により、複数のＬＥＤから発光される光を、直行方向以外の方向に集光させることが出来る。また、反射面が形成されたパネルホルダ１５により、ＬＥＤ１８の前方以外の方向に出た光を反射させて、有効に利用することが出来る。そして、このように構成される照明器具１は、パネル１６を、集光中心が異なる位置に配置されたレンズが形成されたパネルに取り替えるのみで、簡単に光の方向を変更することが出来る。
【００２６】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【符号の説明】
【００２７】
１  照明器具
２  器具本体
８  開口部
１３  フレネルレンズ
１４  基板
１５  パネルホルダ
１６  パネル
１８  ＬＥＤ
２８  傾斜面群
Ｌ１  集光中心
Ｌ２  発光中心
【図１】
2010205501.tif 000003
【図２】
2010205501.tif 000004
【図３】
2010205501.tif 000005
【図４】
2010205501.tif 000006
【図５】
2010205501.tif 000007
【図６】
2010205501.tif 000008
【図７】
2010205501.tif 000009
【図８】
2010205501.tif 000010
【図９】
2010205501.tif 000011
【図１０】
2010205501.tif 000012